【手続補正書】
【提出日】平成20年3月3日(2008.3.3)
【手続補正１】
【補正対象書類名】明細書
【補正対象項目名】特許請求の範囲
【補正方法】変更
【補正の内容】
【特許請求の範囲】
【請求項１】式
Ｐ１−Ａｒｇ−Ｐｒｏ−Ａｒｇ−Ｌｅｕ−Ｐｈｅ−Ｐ２−Ｐ３−Ｇｌｙ−Ｐｒｏ−Ｐ４−Ｐ５（Ｉ）
［式中、Ｐ１は水素原子またはそれぞれ同一または異なって側鎖が置換されていてもよい１ないし２５個のアミノ酸からなるアミノ酸残基またはペプチド鎖を示し、Ｐ２は側鎖が置換されていてもよい中性アミノ酸残基または側鎖が置換されていてもよい塩基性アミノ酸残基を示し、Ｐ３は側鎖が置換されていてもよい中性アミノ酸残基、側鎖が置換されていてもよい芳香性アミノ酸残基または側鎖が置換されていてもよい塩基性アミノ酸残基を示し、Ｐ４は結合手または側鎖が置換されていてもよい中性または芳香性アミノ酸残基を示し、Ｐ５は(1)側鎖が置換されていてもよいアミノ酸残基またはそのＣ末端カルボキシル基がヒドロキシメチル基またはホルミル基に還元されたアミノ酸誘導体、(2)水酸基または(3)側鎖が置換されていてもよいアミノ酸残基と側鎖が置換されていてもよいアミノ酸残基が結合してなるジペプチド鎖またはそのＣ末端カルボキシル基がヒドロキシメチル基またはホルミル基に還元されたペプチド誘導体を示し、式中の−Ａｒｇ−Ｐｒｏ−Ａｒｇ−Ｌｅｕ−Ｐｈｅ−または−Ｇｌｙ−Ｐｒｏ−中の各アミノ酸残基の側鎖は置換されていてもよい。］で表されるペプチドもしくはそのエステルもしくはそのアミドまたはその塩。
【請求項２】Ｐ１が水素原子、ｐＧｌｕまたはＡｒｇ−Ａｒｇ−Ｇｌｎである請求項１記載のペプチドもしくはそのエステルもしくはそのアミドまたはその塩。
【請求項３】Ｐ２が置換されていてもよいＨｉｓまたは置換されていてもよいＡｌａである請求項１記載のペプチドもしくはそのエステルもしくはそのアミドまたはその塩。
【請求項４】Ｐ３が置換されていてもよいＡｒｇまたは置換されていてもよいＬｙｓである請求項１記載のペプチドもしくはそのエステルもしくはそのアミドまたはその塩。
【請求項５】−Ｐ４−Ｐ５が−Ｃｈａ−Ｐｒｏ−Ｐｈｅ（Ｃｌ）、−Ｃｈａ−Ｐｒｏ−Ｐｈｅ、−Ｍｅｔ−Ｐｒｏ−Ｐｈｅ、−Ｍｅｔ−Ｐｒｏ−Ｐｈｅ（Ｃｌ）、−Ｃｈａ−Ｐｈｅまたは−Ｍｅｔ−Ｐｈｅである請求項１記載のペプチドもしくはそのエステルもしくはそのアミドまたはその塩。
【請求項６】
(1) Arg-Pro-Arg-Leu-Phe-Ala-Arg-Gly-Pro-Cha-Pro-Phe(Cl)、
(2) Arg-Pro-Arg-Leu-Phe-His-Lys-Gly-Pro-Cha-Pro-Phe(Cl)、
(3) Arg-Pro-Arg-Leu-Phe-His-Lys-Gly-Pro-Cha-Pro-Phe、
(4) Arg-Pro-Arg-Leu-Phe-His-Lys-Gly-Pro-Met-Pro-Phe(Cl)、
(5) Arg-Pro-Arg-Leu-Phe-Ala-Arg-Gly-Pro-Met-Pro-Phe、
(6) Arg-Pro-Arg-Leu-Phe-His-Lys-Gly-Pro-Cha-Phe(Cl)、
(7) pGlu-Arg-Pro-Arg-Leu-Phe-Arg-Arg-Gly-Pro-Met-Pro-Phe、
(8) pGlu-Arg-Pro-Arg-Leu-Phe-His-Lys-Gly-Pro-Met-Pro-Pheまたは
(9) Arg-Pro-Arg-Leu-Phe-Ala-Arg-Gly-Pro-Met-Phe
で表される請求項１記載のペプチドもしくはそのエステルもしくはそのアミドまたはその塩。
【請求項７】式
Ｑ１−Ａｒｇ−Ｐｒｏ−Ａｒｇ−Ｌｅｕ−Ｓｅｒ−Ａｌａ−Ｑ２−Ｇｌｙ−Ｑ５−Ｑ３−Ｑ４（ＩＩ）
［式中、Ｑ１は水素原子またはそれぞれ同一または異なって側鎖が置換されていてもよい１ないし２５個のアミノ酸からなるアミノ酸残基またはペプチド鎖を示し、Ｑ２は側鎖が置換されていてもよい中性アミノ酸残基、側鎖が置換されていてもよい芳香性アミノ酸残基または側鎖が置換されていてもよい塩基性アミノ酸残基を示し、Ｑ３は結合手または側鎖が置換されていてもよい中性または芳香性アミノ酸残基を示し、Ｑ４は(1)側鎖が置換されていてもよいアミノ酸残基またはそのＣ末端カルボキシル基がヒドロキシメチル基またはホルミル基に還元されたアミノ酸誘導体、(2)水酸基または(3)側鎖が置換されていてもよいアミノ酸残基と側鎖が置換されていてもよいアミノ酸残基が結合してなるジペプチド鎖またはそのＣ末端カルボキシル基がヒドロキシメチル基またはホルミル基に還元されたペプチド誘導体を示し、Ｑ５は側鎖が置換されていてもよい中性アミノ酸残基を示し、式中の−Ａｒｇ−Ｐｒｏ−Ａｒｇ−Ｌｅｕ−Ｓｅｒ−Ａｌａ−中の各アミノ酸残基の側鎖は置換されていてもよい。］で表されるペプチドもしくはそのエステルもしくはそのアミドまたはその塩。
【請求項８】Ｑ１が水素原子、ｐＧｌｕまたはＡｒｇ−Ａｒｇ−Ｇｌｎである請求項７記載のペプチドもしくはそのエステルもしくはそのアミドまたはその塩。
【請求項９】Ｑ２が置換されていてもよいＡｒｇまたは置換されていてもよいＬｙｓである請求項７記載のペプチドもしくはそのエステルもしくはそのアミドまたはその塩。
【請求項１０】−Ｑ３−Ｑ４が−ＯＨ、−Ｍｅｔ、−Ｍｅｔ−Ｐｒｏ−Ｐｈｅ、−Ｍｅｔ−Ｐｒｏ−Ｐｈｅ（Ｃｌ）、−Ｃｈａ−Ｐｒｏ−Ｐｈｅ、−Ｃｈａ−Ｐｒｏ−Ｐｈｅ（Ｃｌ）、−Ａｌａ−Ｐｒｏ−Ｐｈｅ（Ｃｌ）、−Ｃｈａ−Ｐｈｅ（Ｃｌ）または−Ｃｈａである請求項７記載のペプチドもしくはそのエステルもしくはそのアミドまたはその塩。
【請求項１１】Ｑ５が置換されていてもよいＰｒｏ、置換されていてもよいＧｌｙまたは置換されていてもよいＡｌａである請求項７記載のペプチドもしくはそのエステルもしくはそのアミドまたはその塩。
【請求項１２】
(i) Arg-Arg-Gln-Arg-Pro-Arg-Leu-Ser-Ala-Arg-Gly-Pro-Met-Pro-Phe(Cl)、
(ii) Arg-Pro-Arg-Leu-Ser-Ala-Arg-Gly-Pro-Met-Pro-Phe(Cl)、
(iii) Arg-Pro-Arg-Leu-Ser-Ala-Arg-Gly-Pro-Cha-Phe(Cl)、
(iv) Arg-Pro-Arg-Leu-Ser-Ala-Arg-Gly-Pro-Cha-Pro-Phe(Cl)、
(v) Arg-Arg-Gln-Arg-Pro-Arg-Leu-Ser-Ala-Arg-Gly-Pro-Cha、
(vi) Arg-Pro-Arg-Leu-Ser-Ala-Arg-Gly-Pro-Cha-Pro-Phe、
(vii) Arg-Arg-Gln-Arg-Pro-Arg-Leu-Ser-Ala-Arg-Gly-Pro-Met-Pro-Phe、
(viii) Arg-Arg-Gln-Arg-Pro-Arg-Leu-Ser-Ala-Arg-Gly-Pro-Met、
(ix) Arg-Arg-Gln-Arg-Pro-Arg-Leu-Ser-Ala-Arg-Gly-Pro、
(x) Arg -Pro-Arg-Leu-Ser-Ala-Arg-Gly-Pro-Met-Pro-Phe、
(xi) pGlu-Arg-Pro-Arg-Leu-Ser-Ala-Arg-Gly-Pro-Met-Pro-Phe、
(xii) Arg-Pro-Arg-Leu-Ser-Ala-Arg-Gly-Pro-Met、
(xiii) pGlu-Arg-Pro-Arg-Leu-Ser-Ala-Lys-Gly-Pro-Met-Pro-Phe、
(xiv) Arg-Pro-Arg-Leu-Ser-Ala-Arg-Gly-Pro-Ala-Pro-Phe(Cl)、
(xv) Arg-Pro-Arg-Leu-Ser-Ala-Arg-Gly-Gly-Met-Pro-Phe(Cl)、
(xvi) Arg-Pro-Arg-Leu-Ser-Ala-Arg-Gly-NMe-Ala-Met-Pro-Phe(Cl)、
(xvii) Arg-Pro-Arg-Leu-Ser-Ala-Arg-Gly-Pro-Cha-Pyn、
(xviii) Arg-Pro-Arg-Leu-Ser-Ala-Arg-Gly-Pro-Cha-Pro-Pyn、
(xix) Arg-Arg-Gln-Arg-Pro-Arg-Leu-Ser-Ala-Arg-Gly-Gly-Cha、または
(xx) Arg-Pro-Arg-Leu-Ser-Ala-Lys(Me)2-Gly-Pro-Met-Pro-Phe、
で表される請求項７記載のペプチドもしくはそのエステルもしくはそのアミドまたはその塩。
【請求項１３】式
Ｒ１−Ａｒｇ−Ｐｒｏ−Ａｒｇ−Ｌｅｕ−Ｓｅｒ−Ｈｉｓ−Ｌｙｓ−Ｇｌｙ−Ｐｒｏ−Ｒ２−Ｐｒｏ−Ｒ３（ＩＩＩ）
［式中、Ｒ１は水素原子またはそれぞれ同一または異なって側鎖が置換されていてもよい１ないし２５個のアミノ酸からなるアミノ酸残基またはペプチド鎖を示し、Ｒ２は置換されていてもよいＣｈａ、置換されていてもよいＭｅｔまたは置換されていてもよいＮｌｅを示し、Ｒ３は置換されていてもよいＰｈｅ（Ｃｌ）、置換されていてもよいＰｈｅ、置換されていてもよいＮａｌ（２）、置換されていてもよいＣｈａまたは置換されていてもよいＴｙｒを示し、式中の−Ａｒｇ−Ｐｒｏ−Ａｒｇ−Ｌｅｕ−Ｓｅｒ−Ｈｉｓ−Ｌｙｓ−Ｇｌｙ−Ｐｒｏまたは−Ｐｒｏ−中の各アミノ酸残基の側鎖は置換されていてもよい。］で表されるペプチドもしくはそのエステルもしくはそのアミドまたはその塩。
【請求項１４】Ｒ１が水素原子、ｐＧｌｕまたはＡｒｇ−Ａｒｇ−Ｇｌｎである請求項１３記載のペプチドもしくはそのエステルもしくはそのアミドまたはその塩。
【請求項１５】
(1) Arg-Arg-Gln-Arg-Pro-Arg-Leu-Ser-His-Lys-Gly-Pro-Cha-Pro-Phe(Cl)、
(2) Arg-Pro-Arg-Leu-Ser-His-Lys-Gly-Pro-Cha-Pro-Phe(Cl)、
(3) Arg-Pro-Arg-Leu-Ser-His-Lys-Gly-Pro-Met-Pro-Phe(Cl)、
(4) pGlu-Arg-Pro-Arg-Leu-Ser-His-Lys-Gly-Pro-Cha-Pro-Phe、
(5) pGlu-Arg-Pro-Arg-Leu-Ser-His-Lys-Gly-Pro-Met-Pro-Phe(Cl)、
(6) Arg-Arg-Gln-Arg-Pro-Arg-Leu-Ser-His-Lys-Gly-Pro-Nle-Pro-Tyr、
(7) Arg-Pro-Arg-Leu-Ser-His-Lys-Gly-Pro-Met-Pro-Nal(2)、
(8) pGlu-Arg-Pro-Arg-Leu-Ser-His-Lys-Gly-Pro-Met-Pro-Nal(2)、または
(9) Arg-Pro-Arg-Leu-Ser-His-Lys-Gly-Pro-Met-Pro-Cha、
で表される請求項１３記載のペプチドもしくはそのエステルもしくはそのアミドまたはその塩。
【請求項１６】
(i) Arg-Arg-Gln-Arg-Pro-Arg-Leu-Ser-His-Lys-Gly-Pro-Met(O)、
(ii) Arg-Arg-Lys(Arg-Arg)-Arg-Pro-Arg-Leu-Ser-His-Lys-Gly-Pro-Met-Pro-Phe、
(iii) Arg-Arg-Arg-Arg-Pro-Arg-Leu-Ser-His-Lys-Gly-Pro-Met-Pro-Phe、
(iv) Arg-Arg-Lys-Arg-Pro-Arg-Leu-Ser-His-Lys-Gly-Pro-Met-Pro-Phe、
(v) Arg-Arg-Ala-Arg-Pro-Arg-Leu-Ser-His-Lys-Gly-Pro-Met-Pro-Phe、
(vi) Arg-Pro-Arg-Leu-Ser-His-Lys-Gly-Pro-Met-Phe(Cl)、
(vii) pGlu-Arg-Pro-Arg-Leu-Ser-Arg-Lys-Gly-Pro-Met-Pro-Phe、
(viii) Arg-Arg-Phe-Arg-Pro-Arg-Leu-Ser-His-Lys-Gly-Pro-Met-Pro-Phe、
(ix) pGlu-Arg-Pro-Arg-Leu-Ser-His-Arg-Gly-Pro-Met-Pro-Phe、
(x) pGlu-Arg-Pro-Arg-Leu-Ser-His-Lys-Gly-Pro-Met-Phe(Cl)、
(xi) Arg-Pro-Arg-Leu-Ser-His-Lys-Gly-Pro-Met-Cha、
(xii) pGlu-Arg-Pro-Arg-Leu-Ser-Leu-Lys-Gly-Pro-Met-Pro-Phe、
(xiii) Arg-Pro-Arg-Leu-Ser-His-Lys-Gly-Pro-Met-Nal(2)、
(xiv) pGlu-Arg-Pro-Arg-Leu-Ser-Arg-Arg-Gly-Pro-Met-Pro-Phe、
(xv) pGlu-Arg-Pro-Arg-Leu-Ser-Phe-Lys-Gly-Pro-Met-Pro-Phe、
(xvi) pGlu-Arg-Pro-Arg-Leu-Ser-His-Lys-Gly-Pro-Met-Cha、
(xvii) pGlu-Arg-Pro-Arg-Leu-Ser-His-Lys-Gly-Pro-Met-Nal(2)、
(xviii) pGlu-Arg-Pro-Arg-Leu-Ser-His-Phe-Gly-Pro-Met-Pro-Phe、
(xix) pGlu-Arg-Pro-Arg-Leu-Ser-His-Leu-Gly-Pro-Met-Pro-Phe、
(xx) Arg-Arg-Gln-Arg-Pro-Arg-Leu-Ser-Ala-Arg-Gly-NMe2、
(xxi) Arg-Arg-Gln-Arg-Pro-Arg-Leu-Ser-Ala-Arg-Gly-Mor、
(xxii) Arg-Pro-Arg-Leu-Ser-His-Ala-Gly-Pro-Cha-Pro-Phe(Cl)、
(xxiii) Arg-Pro-Arg-Ala-Ser-His-Lys-Gly-Pro-Cha-Pro-Phe(Cl)、
(xxiv) Arg-Pro-Lys(Me)2-Leu -Ser-Ala-Arg-Gly-Pro-Met-Pro-Phe、
(xxv) Arg-Pro-Arg-Leu-Ser-Dap-Arg-Gly-Pro-Cha-Pro-Phe(Cl)、
(xxvi) Arg-Pro-Arg-Leu-Ser-Dap(Ac)c-Arg-Gly-Pro-Cha-Pro-Phe(Cl)、
(xxvii) Arg-Pro-Arg-Leu-Ser-Dap(C6)-Arg-Gly-Pro-Cha-Pro-Phe(Cl)、
(xxviii) Arg-Pro-Arg-Leu-Ser-Dap(Adi)-Arg-Gly-Pro-Cha-Pro-Phe(Cl)、または
(xxix) Arg-Pro-Ala-Leu-Ser-His-Lys-Gly-Pro-Cha-Pro-Phe(Cl)、
で表されるペプチドもしくはそのエステルもしくはそのアミドまたはその塩。
【請求項１７】請求項１、請求項７、請求項１３または請求項１６記載のペプチドもしくはそのエステルもしくはそのアミドまたはその塩を含有してなる医薬。
【請求項１８】中枢神経機能調節剤、循環機能調節剤、心臓機能調節剤、免疫機能調節剤、消化器機能調節剤、代謝機能調節剤または生殖器機能調節剤である請求項１７記載の医薬。
【請求項１９】ＨＩＶ感染症またはエイズの予防・治療薬である請求項１７記載の医薬。
【請求項２０】配列番号：１９で表されるアミノ酸配列を含有する蛋白質またはその塩の作用剤である請求項１７記載の医薬。